(57)【要約】【課題】  本発明は、簡略な構造でありながら短時間で、簡単、かつ衛生的に被介護者のおむつ交換と衣類の着脱など一連の作業を行うことができ、その迅速化、省力化を図って、介護者の労力の負担及び被介護者の苦痛と苛立ち等を大幅に軽減することができる新規で斬新なおむつ交換器具を提供することができる。  また、本発明によれば敷体と接触する本体に曲面を設けたことにより支障なく被介護者の身体を微力で傾斜させて作業の効率を高めることが可能なおむつ交換器具を提供することができる。【解決手段】  本発明のおむつ交換器具Ｍは、敷体と腰部、又は腸骨の付近に差し入れて使用する器具であって、本体は繰り返し作業による汚れを洗浄するために水分や湿気を吸収することがなく、使用時の体重を分散させて背骨の保護と左右の傾斜を可能とするために弾力性に富んだ硬質素材を用いて、円弧と楕円との組み合わせによって形成されたおむつ交換器具を構成している。【選択図】  図１
2006296539.tif 000002
【特許請求の範囲】
【請求項１】
ベット、布団等の敷体上部と被介護者の腰部、又は腸骨との間に挿入する器具であって、臀部領域が敷体から浮上して左右方向に傾斜を可能とすることを特徴とするおむつ交換器具
【請求項２】
敷体と接する部分を曲面とすることを特徴とする請求項１のおむつ交換器具。
【発明の詳細な説明】
【技術分野】
【０００１】
本発明は、おむつ交換器具に関するものであり、詳しくは、短時間で簡単、且つ、衛生的におむつの交換と衣服の着脱作業を行うことができる新規で斬新なおむつ交換器具に関するものである。
【背景技術】
【０００２】
高齢化社会の拡大につれ、介護を必要とする老人の数は増加の一途をたどっており、施設や在宅における介護現場においても寝たきりの高齢者等のおむつ交換を必要とする被介護者の数もまた増加の傾向にある。このような寝たきりの高齢者等のおむつ交換作業は昔からあまり進歩はなく、介護者は腰痛と労力に向かい合いながら従来通りの作業を余儀なくされ、被介護者の多くはその苦痛に耐えてきたのが実情でもある。最近の傾向としては交換作業の改善を期待する介護者と、穏やかな作業を望む被介護者の数も増え、様々な角度から斬新な作業方法が考えられてはいるが、そのほとんどがおむつの交換のみの考えに固持したままの作業であり、陰部の清浄や衣服の着脱という一連の作業には適しておらず、労力の軽減を計るまでには至っていないのが現状である。  
【発明の開示】
【発明が解決しようとする課題】
【０００３】
本発明は、被介護者に対しておむつ交換を行う介護者の労力と心身的な負担は想像以上に大きく、少しでもその軽減を図って介護の意識を向上するための要請に応えることを目的としている。同時に、被介護者にとっても長い時間と繰り返しの作業によって不自由な身体を幾度も動かさなければならないことで苛立ちや苦痛を伴うことも少なくないのが現状の姿である。従来からおむつ交換は介護の中で最も大変な作業であることを意識していることは明らかなことであり、それを早急に解決して大幅な改革につなげることが緊急に要請されている。
【０００４】
以上のような事情は、施設や在宅などの介護現場における寝たきりの被介護者のおむつ交換の場合のみならず、様々な障害を持った被介護者においても同様であると考えられる。本発明は、上述したような従来の切迫した事情と世論の要請などによって開発されたものであり、本体は簡略な構造と形状でありながら介護者は労力の軽減を図ることによって、短時間で簡単、且つ、衛生的におむつ交換とそれに伴う衣類の脱着など一連の作業を手早く行うことができる新規で斬新なおむつ交換器具を提供することを目的とする。
【課題を解決するための手段】
【０００５】
上記目的を達成するための請求項１記載の発明は、腰部、及び腸骨の付近に差し入れて使用するおむつ交換器具であって、被介護者の臀部領域を敷体から浮上させて身体の左右方向への傾斜を可能とすることを特徴とするものである。
【０００６】
上記目的を達成するための請求項２記載の発明は、腰部、及び腸骨の付近に差し入れて使用するおむつ交換器具であって、被介護者の身体を左右方向へ適当な角度で容易に傾斜させるために敷体との接触面を滑らかな曲面の形状に保つことを特徴とするものである。
【発明の効果】
【０００７】
以上の説明から明らかなように本発明にあっては次に列挙する効果が得られる。
（１）請求項１記載のおむつ交換器具は、腰部、及び腸骨の付近に差し入れて使用するおむつ交換器具であって、臀部領域から膝の付近までを敷体から浮上させることによって所定の空間を形成することが容易であり、おむつの交換とそれに関わる衣類の脱着等の一連の作業を行う場合、被介護者の身体を左右方向に傾斜させることが可能であることから介護者の作業効率を高め、被介護者の苛立ちと苦痛を軽減することができる。
【０００８】
（２）請求項２記載のおむつ交換器具は、腰部、及び腸骨の付近に差し入れて使用するおむつ交換器具であって、敷体との接触部分が曲面であることから、作業中に被介護者の身体を簡単円滑に左右に傾斜させることが容易なため介護者の労力を軽減することができ、作業効率を高めることができる。
【発明を実施するための最良の形態】
【０００９】
以下、本発明をより詳細に記述するために、実施の形態を図に基づいて説明する。図１は本発明によるおむつ交換器具の平面図、図２は本発明によるおむつ交換器具の正面図、図３は本発明によるおむつ交換器具の側面図を示す。
【００１０】
前記のおむつ交換器具を構成するＭの本体は、繰り返しの作業による汚れを洗浄をして衛生的に保つ観点から水分や湿気を吸収することのない素材の使用が不可欠な要素であり、１ａに示す腰部、又は腸骨部分との接触面２点に加わる体重を分散させるためには硬質で弾力性に富んだ一体で形成できる硬質ウレタン系の素材を使用することが望ましく、１ｂに示す高さ調節器具の上部あたりに位置する背骨への保護と接触を滑らかにすることを考えると、その立体形状は円弧型、且つ楕円型の組み合わせが適当である。
【００１１】
Ｍ本体の大きさは成人男性の体格を基準としており、１ａに示す接触面の幅は被介護者が腰部、又は腸骨の付近に違和感を感じない程度が最良であり、被介護者に多少の体格差があったとしても十分に使用が可能であるゆとりが要求される。本体の平均値としては、１ａに示す腰部、又は腸骨部分の接触面の幅は５ｃｍから７ｃｍ程度が望ましく、２面間の長さは２５ｃｍから２８ｃｍ程度が適当である。１ｂの高さ調節器具によってエアーマット等の敷体への沈み具合を考えて高さを約７ｃｍに設定した場合、縦方向の長さは約１８ｃｍ程度となるが、使用する敷体によって高さの数値を変更しても安定性を保ち、左右に傾斜可能の範囲で使用できることが本発明の目的であり必要な条件である。
【００１２】
また、敷体との接触面である１ｃの形状を曲面とすることで被介護者の身体を左右に傾斜可能とすることができるが、敷体の素材によっては曲面が滑らかに移動しない場合も考えられ、特にエアーマットのように空気圧で調整をする軟らかい敷体の上では曲面が沈むことが予想される。その場合には、被介護者の腰部や腸骨の付近と接する１ａの位置を移動することも考えられるが、薄い木板や５ｍｍ程度の硬質塩化ビニール板を敷体の上に設置することにより安易に解決される。
【図面の簡単な説明】
【００１３】
【図１】本発明を実施するための最良の形態の平面図である。
【図２】本発明を実施するための最良の形態の正面図である。
【図３】本発明を実施するための最良の形態の側面図である。
【符号の説明】
【００１４】
Ｍ    おむつ交換器具の本体
１ａ  腰部、及び腸骨との接触面
１ｂ  高さ調節器具
１ｃ  傾斜可能とする曲面
【図１】
2006296539.tif 000003
【図２】
2006296539.tif 000004
【図３】
2006296539.tif 000005